(57)【要約】【課題】  使用者に不都合がない状態で光源の冷却効率の向上を図る。【解決手段】  筐体５の前面側に取り付けられ画像を表示する表示パネル２８と該表示パネルに対してバックライトとしての光を照射する光源３０ａ、３０ａ、・・・と該光源から出射された光を表示パネルへ向けて反射するリフレクター３１とを有する表示本体部３と、光源を冷却し複数のフィン３２ｂ、３２ｂ、・・・を有するヒートシンク３２、３２と、筐体の少なくとも上面部１２、１９及び左右両側面部１３、２０を外側から覆うように配置され上面部の上方に位置する天板部２ａと左右両側面部のそれぞれ側方に位置する一対の側板部２ｂ、２ｂとを有するフレーム２とを設け、筐体の上面部に少なくとも光源からヒートシンクに伝達される熱を放出する放熱孔を形成し、フレームの天板部と筐体の上面部との間に放熱用の隙間４５を形成した。【選択図】  図１
2006106272.tif 000002
【特許請求の範囲】
【請求項１】
筐体の前面側に取り付けられ画像を表示する表示パネルと該表示パネルに対してバックライトとしての光を照射する光源と該光源から出射された光を表示パネルへ向けて反射するリフレクターとを有する表示本体部と、
光源を冷却し複数のフィンを有するヒートシンクと、
筐体の少なくとも上面部及び左右両側面部を外側から覆うように配置され上面部の上方に位置する天板部と左右両側面部のそれぞれ側方に位置する一対の側板部とを有するフレームとを備え、
上記筐体の上面部に少なくとも上記光源からヒートシンクに伝達される熱を放出する放熱孔を形成し、
上記フレームの天板部と筐体の上面部との間に放熱用の隙間を形成した
ことを特徴とする表示装置。
【請求項２】
上記ヒートシンクを筐体の左右両側部にそれぞれ配置した
ことを特徴とする請求項１に記載の表示装置。
【請求項３】
外部の空気を冷却空気として取り込むファンと、
一端部がファンに連結された送風入口とされ他端部がヒートシンクへ向けて冷却空気を送り込む送風出口とされると共にファンによって取り込んだ冷却空気をヒートシンクに送るダクトとを設けた
ことを特徴とする請求項１に記載の表示装置。
【請求項４】
上記フィンがダクトの送風出口からの冷却空気の吐出方向に並ぶようにヒートシンクを配置し、
ヒートシンクの長手方向における一端部をダクトの送風出口に対向して位置させ、
ヒートシンクの上記一端部における各フィンを送風出口から遠去かるに従って上記長手方向に長くなるように形成した
ことを特徴とする請求項３に記載の表示装置。
【請求項５】
筐体の前面側に取り付けられ画像を表示する表示パネルと該表示パネルに対してバックライトとしての光を照射する光源と該光源から出射された光を表示パネルへ向けて反射するリフレクターとを有する表示本体部と、
筐体の少なくとも下面部及び左右両側面部を外側から覆うように配置され下面部の下方に位置する底板部と左右両側面部のそれぞれ側方に位置する一対の側板部とを有するフレームとを備え、
上記筐体の下面部に外部の空気を冷却空気として取り込む吸気孔を形成し、
上記フレームの底板部と筐体の下面部との間に吸気用の隙間を形成した
ことを特徴とする表示装置。
【請求項６】
筐体の下端部にスピーカーを設け、
該スピーカーに下方に開口され少なくとも低温域の音声を出力する放音孔を形成した
ことを特徴とする請求項５に記載の表示装置。
【発明の詳細な説明】
【技術分野】
【０００１】
本発明は表示装置についての技術分野に関する。詳しくは、冷却効率の向上を図る技術分野に関する。
【背景技術】
【０００２】
テレビジョンやパーソナルコンピューター等の表示部として設けられる表示装置があり、このような表示装置には画像を表示する表示パネル、例えば、液晶表示パネル等の背面側や側面側に配置された光源から出射された光をバックライトとして表示パネルに照射するタイプがある（例えば、特許文献１参照）。
【０００３】
【特許文献１】特開平８−８２７９７号公報
【発明の開示】
【発明が解決しようとする課題】
【０００４】
上記のような表示装置にあっては、その駆動時に、光源が高温となってしまうと光源の動作状態が不安定となるため、光源の温度上昇を抑制するために冷却する必要がある。
【０００５】
この冷却は、例えば、表示装置の筐体に外部から冷却空気を取り込むための吸気孔と取り込まれた冷却空気を放出する放熱孔とを形成し、吸気孔から取り込まれた冷却空気によって光源を冷却し、光源を冷却して温度上昇した冷却空気を放熱孔から放出することにより行うようにしている。
【０００６】
このような冷却構造においては、冷却効率の向上を図ると共に放出された熱によって使用者に不都合を生じないような構成、例えば、熱によって人体に悪影響を及ぼさないような構成とする必要がある。
【０００７】
そこで、本発明表示装置は、上記した問題点を克服し、使用者に不都合がない状態で光源の冷却効率の向上を図ることを課題とする。
【課題を解決するための手段】
【０００８】
本発明表示装置は、上記した課題を解決するために、筐体の前面側に取り付けられ画像を表示する表示パネルと該表示パネルに対してバックライトとしての光を照射する光源と該光源から出射された光を表示パネルへ向けて反射するリフレクターとを有する表示本体部と、光源を冷却し複数のフィンを有するヒートシンクと、筐体の少なくとも上面部及び左右両側面部を外側から覆うように配置され上面部の上方に位置する天板部と左右両側面部のそれぞれ側方に位置する一対の側板部とを有するフレームとを設け、上記筐体の上面部に少なくとも上記光源からヒートシンクに伝達される熱を放出する放熱孔を形成し、上記フレームの天板部と筐体の上面部との間に放熱用の隙間を形成したものである。
【０００９】
従って、本発明表示装置にあっては、筐体の放熱孔を介してフレームの天板部と筐体の上面部との間の隙間からヒートシンクを伝達された熱が放出される。
【００１０】
別の本発明表示装置は、上記した課題を解決するために、筐体の前面側に取り付けられ画像を表示する表示パネルと該表示パネルに対してバックライトとしての光を照射する光源と該光源から出射された光を表示パネルへ向けて反射するリフレクターとを有する表示本体部と、筐体の少なくとも下面部及び左右両側面部を外側から覆うように配置され下面部の下方に位置する底板部と左右両側面部のそれぞれ側方に位置する一対の側板部とを有するフレームとを設け、上記筐体の下面部に外部の空気を冷却空気として取り込む吸気孔を形成し、上記フレームの底板部と筐体の下面部との間に吸気用の隙間を形成したものである。
【００１１】
従って、本発明表示装置にあっては、フレームの底板部と筐体の下面部との間に吸気用の隙間を介して筐体の吸気孔から筐体の内部に外部の空気が冷却空気として取り込まれる。
【発明の効果】
【００１２】
本発明表示装置は、筐体の前面側に取り付けられ画像を表示する表示パネルと該表示パネルに対してバックライトとしての光を照射する光源と該光源から出射された光を表示パネルへ向けて反射するリフレクターとを有する表示本体部と、光源を冷却し複数のフィンを有するヒートシンクと、筐体の少なくとも上面部及び左右両側面部を外側から覆うように配置され上面部の上方に位置する天板部と左右両側面部のそれぞれ側方に位置する一対の側板部とを有するフレームとを備え、上記筐体の上面部に少なくとも上記光源からヒートシンクに伝達される熱を放出する放熱孔を形成し、上記フレームの天板部と筐体の上面部との間に放熱用の隙間を形成したことを特徴とする。
【００１３】
従って、光源の駆動に伴って発生した熱を、ヒートシンクを介して筐体の上面部に形成された放熱孔から表示本体部の上方に存在する隙間から効率的に放出させることができる。
【００１４】
また、使用者がフレームの天板部に手を触れていたとしても、使用者に温度が上昇した冷却空気が吹き付けられるおそれがないと共に天板部が極端に高温となることがないため、使用者の手に大量の熱が伝わるような不都合を回避することができる。
【００１５】
さらに、表示本体部の周囲に配置されるフレームを設けることにより、表示装置の良好なデザイン性を確保することができる。
【００１６】
請求項２に記載した発明にあっては、上記ヒートシンクを筐体の左右両側部にそれぞれ配置したので、冷却空気を下方から上方へ流動させることができ、冷却効率の向上を図ることができる。
【００１７】
請求項３に記載した発明にあっては、外部の空気を冷却空気として取り込むファンと、一端部がファンに連結された送風入口とされ他端部がヒートシンクへ向けて冷却空気を送り込む送風出口とされると共にファンによって取り込んだ冷却空気をヒートシンクに送るダクトとを設けたので、冷却空気が強制的にヒートシンクに送られ、冷却効率の向上を図ることができる。
【００１８】
請求項４に記載した発明にあっては、上記フィンがダクトの送風出口からの冷却空気の吐出方向に並ぶようにヒートシンクを配置し、ヒートシンクの長手方向における一端部をダクトの送風出口に対向して位置させ、ヒートシンクの上記一端部における各フィンを送風出口から遠去かるに従って上記長手方向に長くなるように形成したので、ダクトを介して送られる冷却空気がヒートシンクの各フィン間に効率的に供給され、冷却効率の一層の向上を図ることができる。
【００１９】
別の本発明表示装置は、筐体の前面側に取り付けられ画像を表示する表示パネルと該表示パネルに対してバックライトとしての光を照射する光源と該光源から出射された光を表示パネルへ向けて反射するリフレクターとを有する表示本体部と、筐体の少なくとも下面部及び左右両側面部を外側から覆うように配置され下面部の下方に位置する底板部と左右両側面部のそれぞれ側方に位置する一対の側板部とを有するフレームとを備え、上記筐体の下面部に外部の空気を冷却空気として取り込む吸気孔を形成し、上記フレームの底板部と筐体の下面部との間に吸気用の隙間を形成したことを特徴とする。
【００２０】
従って、光源の駆動に伴って熱が発生したときに、冷却空気が表示本体部の下方に存在する隙間を介して吸気孔から効率的に取り込まれ、冷却効率の向上を図ることができる。
【００２１】
また、表示本体部の周囲に配置されるフレームを設けることにより、表示装置の良好なデザイン性を確保することができる。
【００２２】
請求項６に記載した発明にあっては、筐体の下端部にスピーカーを設け、該スピーカーに下方に開口され少なくとも低温域の音声を出力する放音孔を形成したので、低温域の音声を下方へ向けて発することができ、低音域の音声を強調することが可能である。
【００２３】
また、表示本体部の下方に存在する隙間を冷却空気を取り込むための空間の他、音声出力のための空間としても使用することができ、隙間の有効活用を図ることができる。
【発明を実施するための最良の形態】
【００２４】
以下に、本発明表示装置を添付図面に従って説明する。以下に示す最良の形態は、本発明表示装置をパーソナルコンピューターにおいて用いられる表示装置に適用したものである。尚、本発明の適用範囲はパーソナルコンピューターにおいて用いられる表示装置に限られることはなく、本発明は、例えば、テレビジョン等の表示装置やＰＤＡ（Personal Digital Assistant）、ネットワーク端末、携帯情報端末、ワークステーション等に設けられる各種の表示装置に適用することができる。
【００２５】
表示装置１はフレーム２と該フレーム２の内側に配置された表示本体部３とを有している（図１及び図２参照）。
【００２６】
フレーム２は、例えば、アルミニウムによって矩形の枠状に形成され、上方に位置する天板部２ａと左右に位置する側板部２ｂ、２ｂと下方に位置する底板部２ｃとから成る。底板部２ｃには左右に離隔して補助板４、４が取り付けられている。フレーム２は、天板部２ａと側板部２ｂ、２ｂと底板部２ｃとが一体に形成されていてもよく、また、これらの各部が各別の部材で構成されていてもよい。
【００２７】
表示本体部３は筐体５と液晶パネル部６とインナーカバー７と背面カバー８とを備えている（図２参照）。
【００２８】
筐体５は、例えば、樹脂材料によって形成され、後方に開口されたフロントケース９と前方に開口されたリアケース１０とが前後で結合されて成る（図２乃至図６参照）。
【００２９】
フロントケース９は、図２に示すように、前面部１１と該前面部１１の上縁から後方へ突出された上面部１２と前面部１１の左右両側縁からそれぞれ後方へ突出された側面部１３、１３と前面部１１の下縁から後方へ突出された下面部１４とから成り、前面部１１にパネル配置孔１１ａが形成されている。前面部１１の下端部には、その左右両端部にそれぞれ放音部１１ｂ、１１ｂが設けられている。
【００３０】
フロントケース９の前面部１１の背面側には、その下端部における左右両端部にそれぞれスピーカー１５、１５が配置されている（図２、図７及び図８参照）。スピーカー１５、１５には、それぞれ前方へ音声を出力する図示しない放音孔と下方へ音声を出力する放音孔１５ａ、１５ａ（図８に一方のもののみ示す。）が形成されている。
【００３１】
リアケース１０は、図２乃至図６に示すように、前側ケース部１６と後側ケース部１７とから成る。前側ケース部１６は背面部１８と該背面部１８の上縁から前方へ突出された上面部１９と背面部１８の左右両側縁からそれぞれ前方へ突出された側面部２０、２０と背面部１８の下縁から前方へ突出された下面部２１とから成る。後側ケース部１７は前側ケース部１６の背面部１８の上端部及び左右両端部を除く部分から後方へ突出された状態で設けられ、後面部２２と上面部２３と側面部２４、２４と下面部２５とから成る。
【００３２】
リアケース１０の前側ケース部１６の背面部１８には、その左右両端部にそれぞれ上下に並ぶ吸気穴１８ａ、１８ａ、・・・が形成されている（図２及び図３参照）。リアケース１０の前側ケース部１６の上面部１９の全面には、放熱孔１９ａ、１９ａ、・・・が形成されている（図２及び図５参照）。
【００３３】
リアケース１０の後側ケース部１７の側面部２４、２４には、それぞれ吸気用穴２４ａ、２４ａ、・・・と排気用穴２４ｂ、２４ｂ、・・・が形成されている（図２及び図４参照）。リアケース１０の後側ケース部１７の下面部２５には、吸気孔２５ａ、２５ａ、・・・が形成されている（図６参照）。
【００３４】
リアケース１０の後側ケース部１７には後方に開口された凹部１７ａが形成されている（図３参照）。凹部１７ａにはファン用吸気部２６が設けられている。
【００３５】
筐体５の下面には、左右に離隔して音声孔５ａ、５ａが形成されている（図６参照）。
【００３６】
液晶パネル部６はパネルケース２７と該パネルケース２７に配置された表示パネル２８とを有している（図２及び図９参照）。
【００３７】
パネルケース２７は熱伝導性の高い金属材料によって形成され、前方に開口されたパネル配置凹部２７ａと該パネル配置凹部２７ａのそれぞれ左右両側に形成され後方及び上方に開口されたヒートシンク配置凹部２７ｂ、２７ｂとを有している。パネル配置凹部２７ａとヒートシンク配置凹部２７ｂ、２７ｂとは、それぞれ仕切板部２７ｃ、２７ｃによって仕切られている。
【００３８】
パネルケース２７のパネル配置凹部２７ａの前面側には、前後で積層された状態で画像を表示するための表示パネル２８と拡散板２９とが配置されている。パネルケース２７の仕切板部２７ｃ、２７ｃの内面には、それぞれ縦長の制御回路基板３０、３０が取り付けられ、該制御回路基板３０、３０には上下に等間隔に離隔して光源３０ａ、３０ａ、・・・が搭載されている。光源３０ａ、３０ａ、・・・はバックライトとしての光を出射する、例えば、ＬＥＤ（Light Emitting Diode）である。
【００３９】
尚、制御回路基板３０、３０の光源３０ａ、３０ａ、・・・が配置された面と反対側の面には熱伝導性の高い金属材料によって形成された図示しない熱伝導板、例えば、アルミ板と熱伝導シートとが貼付され、制御回路基板３０、３０は熱伝導板及び熱伝導シートを介して仕切部２７ｃ、２７ｃと接触されている。
【００４０】
パネル配置用凹部２７ａにはリフレクター３１が配置されている。光源３０ａ、３０ａ、・・・から出射された光はリフレクター３１によって所定の方向へ反射され、拡散板２９によって拡散されて表示パネル２８に入射される。
【００４１】
ヒートシンク配置凹部２７ｂ、２７ｂにはそれぞれヒートシンク３２、３２が配置されている。ヒートシンク３２は縦長に形成され、左右方向を向くベース面部３２ａと該ベース面部３２ａから外方（側方）へ突出されたフィン３２ｂ、３２ｂ、・・・とが一体に形成されて成り、該フィン３２ｂ、３２ｂ、・・・は前後方向において等間隔に並ぶように設けられている。
【００４２】
フィン３２ｂ、３２ｂ、・・・は、図１０に示すように、上端が同一の高さに位置され、上下方向における長さが、前方に位置するもの程長くされている。従って、フィン３２ｂ、３２ｂ、・・・は、最も前方に位置するものが最長とされ、後方へ行くに従って順に長さが短くされ、最も後方に位置するものが最短とされている。
【００４３】
ヒートシンク３２、３２のベース部３２ａ、３２ａには図示しない熱伝導シートが貼付され、該熱伝導シートを介してそれぞれベース部３２ａ、３２ａがパネルケース２７の仕切板部２７ｃ、２７ｃの外面に取り付けられている。従って、光源３０ａ、３０ａ、・・・及び制御回路基板３０、３０に発生した熱は、順に、熱伝導板、熱伝導シート、仕切板部２７ｃ、２７ｃ及び熱伝導シートを経由してヒートシンク３２、３２に伝達される。
【００４４】
ヒートシンク３２、３２の最も後側に位置するフィン３２ｂ、３２ｂには、その上端寄りの位置に、それぞれ熱伝導シート３３、３３が貼付されている（図９及び図１０参照）。
【００４５】
インナーカバー７は熱伝導性の高い金属材料によって前方に開口された浅い箱状に形成されている（図２参照）。インナーカバー７は、図１１乃至図１５に示すように、背面壁部３４と上面壁部３５と側面壁部３６、３６と下面壁部３７とを有している。
【００４６】
背面壁部３４の後面の中央部には制御回路部３８が設けられている（図２及び図７参照）。制御回路部３８は表示パネル２８の画像制御や各部の電源制御等を行う回路部であり、制御基板３８ａを有している。制御回路部３８の側方には吸気ファン３９が配置されている。
【００４７】
制御基板３８ａ及び吸気ファン３９は前方及び下方に開口されたカバー体４０によって背面側から覆われ、該カバー体４０は背面壁部３４に取り付けられる（図１１乃至図１５参照）。カバー体４０には吸気用又は排気用の複数の吸排気孔４０ａ、４０ａ、・・・が形成されている。
【００４８】
インナーカバー７の背面壁部３４には吸気用又は排気用の空気流通孔３４ａ、３４ａ、・・・が形成され、上面壁部３５の後端部には排気用孔３５ａ、３５ａ、・・・が形成され、下面壁部３７の後端部には吸気用孔３７ａ、３７ａ、・・・が形成されている。
【００４９】
インナーカバー７の背面壁部３４の上端寄りの位置には、その左右両端部にそれぞれ前方へ突出された接触突部３４ｂ、３４ｂが設けられている（図９及び図１０参照）。接触突部３４ｂ、３４ｂは、インナーカバー７が液晶パネル部６に取り付けられた状態において、それぞれヒートシンク３２、３２に貼付された熱伝導シート３３、３３に接触される。
【００５０】
背面壁部３４の下端部には左右に延び後方に開口されたダクト溝４１が形成されている。背面壁部３４にはダクト溝４１の左右両端部にそれぞれ連通する連通孔４１ａ、４１ａが形成されている。連通孔４１ａ、４１ａはインナーカバー７が液晶パネル部６に取り付けられた状態において、パネルケース２７のヒートシンク配置凹部２７ｂ、２７ｂにそれぞれ連通される。
【００５１】
背面壁部３４にはダクト溝４１を閉塞する吸気用カバー４２が取り付けられている（図１０及び図１６参照）。吸気用カバー４２は横長に形成され、中央部に送風入口４２ａが形成され、左右両端部がそれぞれ送風出口４２ｂ、４２ｂとして形成されている。吸気用カバー４２には送風入口４２ａの内側にファン４３が配置されている。
【００５２】
背面壁部３４に吸気用カバー４２が取り付けられることにより、ダクト溝４１と吸気用カバー４２とによって送風入口４２ａと送風出口４２ｂ、４２ｂとの間に、冷却空気をヒートシンク３２、３２に送るダクト４４が形成され、送風出口４２ｂ、４２ｂは背面壁部３４の連通孔４１ａ、４１ａに連通される。従って、ダクト４４はパネルケース２７のヒートシンク配置凹部２７ｂ、２７ｂに連通される。
【００５３】
インナーカバー７の上面壁部３５には、その左右両端部にそれぞれ排気用切欠３５ｂ、３５ｂが形成されている（図２及び図１２参照）。排気用切欠３５ｂ、３５ｂは、インナーカバー７が液晶パネル部６に取り付けられた状態において、それぞれパネルケース２７のヒートシンク配置凹部２７ｂ、２７ｂの上方に位置される。
【００５４】
背面カバー８には空気吸入孔８ａ、８ａ、・・・が形成されている（図１参照）。
【００５５】
表示本体部３は以下のようにして組み立てられる。
【００５６】
液晶パネル部６の背面側からインナーカバー７が取り付けられる。インナーカバー７が取り付けられた状態においては、液晶パネル部６のパネルケース２７の左右両側面部がインナーカバー７の側面壁部３６、３６に内側から接した状態とされる（図９参照）。従って、光源３０ａ、３０ａ、・・・及び制御回路基板３０、３０に発生した熱は、上記したように、ヒートシンク３２、３２に伝達される他、パネルケース２７からインナーカバー７へ伝達されて外部へ放出される。
【００５７】
上記のように液晶パネル部６とインナーカバー７が結合された状態において、これらの両者を覆うようにしてフロントケース９とリアケース１０が前後で結合され、リアケース１０に吸気用カバー４２が取り付けられた状態において背面カバー８がリアケース１０の凹部１７ａを閉塞するように取り付けられることにより表示本体部３が組み立られる。
【００５８】
表示本体部３は筐体５の側面部１３、１３、２０、２０が側板部２ｂ、２ｂに接した状態でフレーム２に取り付けられ、該フレーム２に取り付けられた状態においてはフレーム２の内側に配置される（図１及び図３参照）。このときフレーム２の底板部２ｃに取り付けられた補助板４、４上に表示本体部３が載置される。
【００５９】
表示本体部３がフレーム２の内側に取り付けられた状態においては、筐体５の上面とフレーム２の天板部２ａとの間に隙間４５が形成されると共に筐体５の下面とフレーム２の底板部２ｃとの間に隙間４６が形成される。
【００６０】
以上のように構成された表示装置１が駆動されると、表示パネル２８に画像が表示される。このとき光源３０ａ、３０ａ、・・・からバックライトとしての光が出射され、光源３０ａ、３０ａ、・・・及び制御回路基板３０に発生した熱は、上記したように、ヒートシンク３２、３２に伝達される他、パネルケース２７からインナーカバー７へ伝達される。
【００６１】
表示装置１の駆動時には、吸気用カバー４２に設けられたファン４３が回転され、外部の空気が背面カバー８の空気吸入孔８ａ、８ａ、・・・から送風入口４２ａを経てダクト４４に冷却空気として取り込まれる。ダクト４４に取り込まれた冷却空気は、送風出口４２ｂ、４２ｂから連通孔４１ａ、４１ａを通りパネルケース２７のヒートシンク配置凹部２７ｂ、２７ｂへ送られ、ヒートシンク３２、３２を冷却してリアケース１０の放熱孔１９ａ、１９ａ、・・・から放出される。従って、光源３０ａ、３０ａ、・・・及び制御回路基板３０、３０に発生しヒートシンク３２、３２に伝達された熱が、この冷却空気によって放熱孔１９ａ、１９ａ、・・・から放出される。放熱孔１９ａ、１９ａから放出された熱は、表示本体部３の上側の隙間４５から空気中へ放出される。
【００６２】
このとき表示本体部３の上側にはフレーム２の天板部２ａが位置されているため、使用者がフレーム２の天板部２ａに触れていたとしても、使用者に温度が上昇した冷却空気が吹き付けられるおそれがなく、また、天板部２ａが極端に高温となることがないため、使用者の手に大量の熱が伝わるような不都合を回避することができる。
【００６３】
また、表示本体部３の周囲に配置されるフレーム２を設けることにより、表示装置１の良好なデザイン性を確保することができる。
【００６４】
さらに、外部の空気は表示本体部３の下側の隙間４６から筐体５の吸気孔２５ａ、２５ａ、・・・からも冷却空気として筐体５の内部に取り込まれる。取り込まれた冷却空気は筐体５の内部に配置されている各部を冷却し、筐体５の放熱孔１９ａ、１９ａ、・・・を介して隙間４５から外部へ放出される。
【００６５】
同時に、表示装置１の駆動時には、カバー体４０の内部に配置された吸気ファン３９が回転され、外部の空気がリアケース１０の吸気用穴２４ａ、２４ａ、・・・からカバー体４０の吸排気孔４０ａ、４０ａ、・・・を介してカバー体４０の内部に冷却空気として取り込まれる。カバー体４０の内部に取り込まれた冷却空気は制御回路部３８を冷却してカバー体４０の吸排気孔４０ａ、４０ａ、・・・及びリアケース１０の排気用穴２４ｂ、２４ｂ、・・・から外部へ放出される。
【００６６】
一方、表示装置１の駆動時には、スピーカー１５、１５から音声が出力されるが、この音声はスピーカー１５、１５の図示しない放音孔及び放音孔１５ａ、１５ａから発せられる。このとき図示しない放音孔からは高音域及び中間音域の音声がフロントケース９の放音部１１ｂ、１１ｂを介して前方へ向けて外部へ発せられ、放音孔１５ａ、１５ａからは低音域の音声が筐体５の音声孔５ａ、５ａを介して隙間４６へ向けて下方へ発せられる。
【００６７】
このように隙間４６が形成されていることにより、低温域の音声を下方へ向けて発することができ、低音域の音声を強調することが可能である。また、隙間４６を冷却空気を取り込むための空間の他、音声出力のための空間としても使用することができ、隙間４６の有効活用を図ることができる。
【００６８】
表示装置１にあっては、ヒートシンク３２、３２をそれぞれ筐体５内の左右両側部に配置しているため、冷却空気を下方から上方へ流動させることができ、冷却効率の向上を図ることができる。
【００６９】
また、外部の空気を冷却空気として取り込むファン４３を設け、ダクト４４によってヒートシンク３２、３２に冷却空気を送っているので、冷却空気が強制的にヒートシンク３２、３２に送られ、冷却効率の向上を図ることができる。
【００７０】
さらに、ヒートシンク３２、３２の下端部をダクト４４の送風出口４２ｂから遠去かるに従って順に長くなるように形成しているため、ダクト４４を介して送られる冷却空気がヒートシンク３２、３２の各フィン３２ｂ、３２ｂ、・・・間に効率的に供給され、冷却効率の一層の向上を図ることができる。
【００７１】
尚、表示装置１にあっては、１つのファン４３によって取り込んだ冷却空気をダクト４４を経由させて左右のヒートシンク３２、３２に送っているので、ファン４３と冷却空気の流路が折り曲げられる送風出口４２ｂ、４２ｂとの距離が長く、ファン４３による騒音の低減を図ることができる。
【００７２】
また、表示装置１の駆動時には筐体５の背面部１８の左右両端部に形成された吸気穴１８ａ、１８ａ、・・・から外部の空気が冷却空気としてパネルケース２７のヒートシンク配置凹部２７ｂ、２７ｂに取り込まれる。従って、ヒートシンク３２、３２の冷却効率の向上を図ることができる。
【００７３】
尚、上記には、ヒートシンク３２、３２を筐体５の左右両端部に配置した例を示したが、ヒートシンク３２、３２の配置位置は筐体５の左右両端部に限られることはない。
【００７４】
また、ヒートシンク３２、３２に加え、例えば、別のヒートシンクをファン４３の前側に対向した位置に配置し、このヒートシンクとヒートシンク３２、３２とを、例えば、ヒートパイプ等により連結して熱の移動を行うようにしてもよい。
【００７５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７６】
【図１】図２乃至図１６と共に本発明表示装置の最良の形態を示すものであり、本図は、表示装置の斜視図である。
【図２】表示装置の概略分解斜視図である。
【図３】背面カバーを取り除いた状態で示す表示装置の背面図である。
【図４】表示装置の側面図である。
【図５】フレームの天板部を取り除いた状態で示す表示装置の平面図である。
【図６】フレームの底板部を取り除いた状態で示す表示装置の底面図である。
【図７】フレーム、リアケース及びカバー体を取り除いた状態で示す背面図である。
【図８】フレーム、リアケース及びカバー体を取り除き、一方のスピーカーを省略した状態で示す底面図である。
【図９】液晶パネル部とインナーカバーを示す概略断面図である。
【図１０】液晶パネル部、インナーカバー、ヒートシンク及び吸気用カバーを示す分解斜視図である。
【図１１】図１２乃至図１５と共に液晶パネル部にインナーカバー及びカバー体が取り付けられた状態を示すものであり、本図は背面図である。
【図１２】平面図である。
【図１３】一方の側面図である。
【図１４】他方の側面図である。
【図１５】底面図である。
【図１６】リアケースを取り除いた状態を示す背面図である。
【符号の説明】
【００７７】
１…表示装置、２ａ…天板部、２ｂ…側板部、２ｃ…底板部、３…表示本体部、５…筐体、１２…上面部、１３…側面部、１４…下面部、１５…スピーカー、１５ａ…放音孔、１９…上面部、１９ａ…放熱孔、２０…側面部、２１…下面部、２３…上面部、２４…側面部、２５…下面部、２５ａ…吸気孔、２８…表示パネル、３０ａ…光源、３１…リフレクター、３２…ヒートシンク、３２ｂ…フィン、４２ａ…送風入口、４２ｂ…送風出口、４３…ファン、４４…ダクト、４５…隙間、４６…隙間
【図１】
2006106272.tif 000003
【図２】
2006106272.tif 000004
【図３】
2006106272.tif 000005
【図４】
2006106272.tif 000006
【図５】
2006106272.tif 000007
【図６】
2006106272.tif 000008
【図７】
2006106272.tif 000009
【図８】
2006106272.tif 000010
【図９】
2006106272.tif 000011
【図１０】
2006106272.tif 000012
【図１１】
2006106272.tif 000013
【図１２】
2006106272.tif 000014
【図１３】
2006106272.tif 000015
【図１４】
2006106272.tif 000016
【図１５】
2006106272.tif 000017
【図１６】
2006106272.tif 000018